(57)【要約】      （修正有）【課題】ビーム固定装置を、ビームの脱着作業に面倒な操作を要する緊縛用のボルトを省略して、ビームの端部を接続金具に対し嵌合していくだけで、ビームの接続金具に対する連結装着が行われ、かつ、空荷での走行の際の揺動によるビームの脱出を阻止するように構成する。【解決手段】金属板によりビームａの端部が嵌合するチャンネル形に成形されて、開放口６ａが上向きの姿勢として、枠体の四隅の枠柱２の上端側の周壁面に取り付けた接続金具ｂと、その接続金具ｂの床板の内面側に垂直な姿勢として植設した嵌合ピンｐと、ビームａの端部の底壁の前記嵌合ピンｐと対応する部位に、その嵌合ピンｐと嵌合するよう開設せる嵌合穴ｈと、接続金具ｂの一方の側板６０に組付けて、上端側に接続金具ｂに嵌合したビームａの上面側を押さえる押さえ部を具備するバネ板よりなる押さえ部材とにより構成する。【選択図】図３６
0003122943.tif 000002
【実用新案登録請求の範囲】
【請求項１】
金属板によりビームａの端部が嵌合するチャンネル形に成形されて、開放口６ａが上向きの姿勢として、枠体Ａの四隅の枠柱２の上端側の周壁面にこぐちを接合して取り付けた接続金具ｂと、その接続金具ｂの床板６１の内面側に垂直な姿勢として植設した嵌合ピンｐと、ビームａの端部の底壁８１の前記嵌合ピンｐと対応する部位に、その嵌合ピンｐと嵌合するよう開設せる嵌合穴ｈと、接続金具ｂの一方の側板６０に組付けて、上端側に接続金具ｂに嵌合したビームａの上面側を押さえる押さえ部９０を具備するバネ板よりなる押さえ部材Ｓと、からなる穀粒運搬用のコンテナにおけるビーム固定装置。
【請求項２】
接続金具ｂの、バネ板よりなる押さえ部材Ｓを設けた側板６０と反対側の側板６０の上端側に、外側に向け拡き勝手に立上るガイド９１を設けたことを特徴とする請求項１記載の穀粒運搬用のコンテナにおけるビーム固定装置。
【請求項３】
押さえ部材Ｓを金属板により剛体に形成して、接続金具ｂに嵌合せるビームａの端部の上面に被さる位置に配し、接続金具ｂの一方の側板６０の上端部に、ヒンジ９３を介し起伏回動自在に組付け、バネ９４により下方に向け回動するよう付勢したことを特徴とする請求項１記載の穀粒運搬用のコンテナにおけるビーム固定装置。
【請求項４】
金属板によりビームａの端部が嵌合するチャンネル形に成形して、開放口６ａが側方に向かう横倒しの姿勢として枠体Ａの四隅の枠柱２の上端側の周壁面に、床板６１の外面側を接合して取り付けた接続金具ｂと、その接続金具ｂの床板６１の内面に、その内面に対し垂直な姿勢でその内面から突出するよう植設した嵌合ピンｐと、ビームａの端部の側壁８０の、前記嵌合ピンｐと対応する部位に、その嵌合ピンｐと嵌合するよう開設せる嵌合穴ｈと、接続金具ｂの床板６１の一方の側縁部に、その床板６１から該接続金具ｂのこぐちを横切って開放口６ａ側に突出するよう設けて、突出端側に接続金具ｂに嵌合したビームａの外面側の側壁８０の外面に被さる押さえ部９０を具備するバネ板からなる押さえ部材Ｓと、からなる穀粒運搬用のコンテナにおけるビーム固定装置。
【請求項５】
金属板によりビームａの端部が嵌合するチャンネル形に成形して、開放口６ａが側方に向かう横倒しの姿勢で枠体Ａの四隅の枠柱２の上端側の周壁面に対し、床板６１の外面側を接合して取り付けた接続金具ｂと、その接続金具ｂの床板６１の内面に、その内面に対し垂直な姿勢でその内面から突出するよう植設する嵌合ピンｐと、ビームａの端部の側壁８０の、前記嵌合ピンｐと対応する部位に、その嵌合ピンｐと嵌合するよう開設せる嵌合穴ｈと、接続金具ｂの側板６０に、それに開設した透孔ｍを介して、その側板６０の内面側に対し先端部が出没するよう可動に組付ける前記嵌合ピンｐと直交する方向の係合ピンｋと、その係合ピンｋを側壁８０の内面側に向け押し込むよう付勢するバネ９４と、ビームａの端部の上壁８２または底壁８１の、接続金具ｂに嵌合させた状態における前記係合ピンｋと対応する部位に、その係合ピンｋと係合するよう設ける係合穴ｎと、からなる穀粒運搬用のコンテナにおけるビーム固定装置。
【請求項６】
金属板によりビームａの端部が嵌合するチャンネル状に成形した接続金具ｂを、それの開放口６ａが、側方または上方に向かう姿勢として枠体Ａの四隅の枠柱２の上端側に取り付け、その接続金具ｂの床板６１の内面には、その内面に対し垂直な姿勢でその内面から突出する嵌合ピンｐを植設し、ビームａの端部の周壁の前記嵌合ピンｐと対応する部位に、その嵌合ピンｐと嵌合する嵌合穴ｈを開設し、接続金具ｂの側板６０には、軸芯線が、前記嵌合穴ｈの軸芯線と直交する方向の透孔ｍを開設し、それの外面側に、板バネよりなる支持板６４を廃してそれのバネ性により透孔ｍに対し進退するよう側板６０に組付け、その板バネよりなる支持板６４の、前記透孔ｍと対応する部位を、押し出し成形加工により透孔ｍ内に嵌入する庇状に突出させて係合ピンｋに形成し、ビームａの端部の周壁の、前記透孔ｍと対向する部位に、前記係合ピンｋと嵌合して係合する係合穴ｎを設けてなる穀粒運搬用のコンテナにおけるビーム固定装置。
【考案の詳細な説明】
【技術分野】
【０００１】
本考案は、金属材によりトラックの荷台上に載架し得る中空の立方体状の枠体を組立て、それに、合成樹脂材のシート等で成形した穀粒袋を吊り下げ装着して構成する穀粒運搬用のコンテナにおいて、そのコンテナの枠体を組立てるときに、四周の枠柱間に渡架装着するビームを、枠柱に対し固定連結して装着するためのビーム固定装置についての改良に関する。
【背景技術】
【０００２】
上述の穀粒運搬用のコンテナは、通常、鉄板等の金属板を折曲げ加工して角筒状に成形した柱材・桁材を枠組み連結して、図１乃至図３にあるように、トラックＴの荷台ｔの上面に載架し得る床面積を具備する背の低い四角な台枠状のベース１を組立て、そのベース１の四隅のベース柱１０の各上端部に、別に形成しておく四本の枠柱２…のそれぞれの下端部を嵌挿しネジにより連結して、これら四本の枠柱２をベース１の四隅に立設し、これら枠柱２…の各上端の、相い隣なる枠柱２に対向する２つの壁面、またはその対向面と反対側に位置する外壁面に、桁材として枠柱２間に渡架するビームａの端部を嵌め合わせてそのビームａを渡架装着するための、チャンネル状の接続金具ｂを、それぞれ取り付けておき、これに、ビームａの端部を嵌合して連結することで、ビームａを渡架連結して枠体Ａに組立てる。
【０００３】
そして、この組立てた枠体Ａに、合成樹脂材のシートまたは布地のシートにより、上部側が枠体Ａの内腔に倣う四角な角筒状で、下部側が漏斗状をなして、それの下端に下口３０が開口する形状に成形した穀粒袋Ｂを、それの上端側の開放口の周縁をビームａに支架して、枠体Ａ内腔に収容せしめた状態として枠体Ａに懸架し、下端の下口３０を、ベース１に設けた組付座１１に組付けておく穀粒搬出機４の枠状に形成してある受入口４０に連結することで、枠体Ａに穀粒袋Ｂを懸架した穀粒運搬用のコンテナＣに組立てるようにしている。
【０００４】
このコンテナＣは、トラックＴの荷台ｔ上に載架した状態で、トラックＴの走行により、コンバイン等で穀粒の収穫を行っている圃場に移動し、コンバインの揚穀筒から放出される穀粒を穀粒袋Ｂに受け入れ、それを、トラックＴの走行により、穀粒乾燥機が設置されている納屋、または大型の穀粒乾燥機が設置されている穀物乾燥施設に運搬し、そこで、穀粒搬出機４の吐出口に、別体に形成してある搬出筒５を接続し、穀粒搬出機４の受入口４０に付設してあるシャッタ４１を開放して、穀粒搬出機４の作動により穀粒袋Ｂ内の穀粒を排出させるように使用される。
【０００５】
このコンテナＣは、穀粒の収穫シーズンが終わったときは、次の収穫シーズンまで、納屋等に収納される。そのとき、枠体Ａは、枠柱２に渡架したビームａを取り外して、枠柱２をベース１から抜き取るか、ベース１に対し折畳み回動させて、ベース１の上面に重ねることで、容積を小さくすることが行われる。
【０００６】
このことから、このコンテナＣの枠体Ａを組み立てるために枠柱２間に渡架するビームａの連結装着用の接続金具ｂには、枠体Ａを折畳むときの作業性をよくするために、接続金具ｂに対するビームａの端部の脱着作業が、迅速・容易なものとすることの要望がある。
【０００７】
この接続金具ｂに対しビームａの端部の連結・装着して、ビームａを枠体Ａの枠柱２間に渡架装着するビームａの装着手段は、従前のものにあっては、図４にあるように、チャンネル形に形成して、枠柱２の壁面にこぐちを熔接することで取り付ける接続金具ｂの、内・外の側板６０・６０に、それらを貫通するボルト挿通孔６２を開設しておき、この接続金具ｂの内腔に落とし込むように嵌合させるビームａには、左右の側壁８０・８０と底壁８１とで角筒状に形成されている該ビームａの端部を、接続金具ｂに嵌合させた状態において、左右の側壁８０・８０の前述のボルト挿通孔６２と対応する位置に、ボルト７０を貫通させる連結穴８３・８３を形成しておき、ビームａの端部を接続金具ｂに嵌合した状態において、ボルト挿通孔６２・６２と連結穴８３・８３とにボルト７０を貫通し、そのボルト７０をナット７１により締め付けることで、接続金具ｂに対しビームａの端部をボルト７０により緊縛する緊縛手段７によって連結・装着し、ビームａを枠柱２間に渡架した状態として組付けるようにしている。
【０００８】
このため、ビームａを枠柱２から取り外すときは、ボルト７０の締め付けを開放して、ボルト７０を抜き取る作業を行い、その後にビームａの接続金具ｂから取り外す工程が必要で、しかも、この工程の作業を、四本の枠柱２間に渡架したビームａのそれぞれの端部において行うことから、その作業は面倒なものとなっている。
【０００９】
ところで、このビーム接続手段により枠体Ａの枠柱２間に渡架装着されるビームａは、それに、穀粒袋Ｂの上周縁部が支架されることで、コンテナＣにより穀粒を運搬するときには、穀粒袋Ｂ内の穀粒の重量による荷重を受けることによって、下方に引き下げられるようになることから、チャンネル状の接続金具ｂの内腔の床板６１上面に押し付けられた状態となるので、ボルト７０・ナット７１による緊縛手段７が無くても、接続金具ｂ内にしっかりと嵌合して連結するようになる。
【００１０】
このことから、ビームａの脱着作業を面倒にしているボルト７０・ナット７１による緊縛手段７を無くして、ビームａを接続金具ｂに対し嵌挿するだけでも、ビームａの接続金具ｂに対する連結装着が行えるようにビーム固定装置Ｄを構成することは可能なように見える。
【００１１】
しかし、コンテナＣをトラックＴの荷台ｔに載架してトラックＴの走行により行う穀粒の運搬作業は、穀粒の収穫を行っている圃場に向かうとき、および、穀粒乾燥施設に運搬して帰るときには、空荷の状態で移動する。この空荷での走行移動のときは、路面の凹凸による振動で、ビームａがチャンネル状の接続金具ｂから浮き上がるようになることで、ボルト７０・ナット７１の緊縛手段７による固定・連結が無ければ、ビームａは接続金具ｂから外れて飛び出すようになる。
【００１２】
このことから、ビーム固定装置Ｄを、ビームａと接続金具ｂとを緊縛するボルト７０・ナット７１による緊縛手段７を省略して、ビームａの脱着が容易迅速に行えるようにするように構成することには問題がある。
【００１３】
ところで、このビームの接続装置におけるボルト・ナットの緊縛手段による固定・連結は、穀粒を運搬するときは、ビームａが穀粒袋Ｂ内の穀粒の重量によって、接続金具ｂ内に固定されることから、コンテナによる穀粒の運搬作業において、空荷運転の際の、ビームａの接続金具ｂからの脱出を阻止するだけのもので、空荷運転の際の、ビームａの接続金具ｂからの脱出を阻止するよう機能すれば足りるものとなる。
【考案の開示】
【考案が解決しようとする課題】
【００１４】
本考案において解決しようとする課題は、コンテナの枠体の枠柱間に渡架するビームの端部を枠柱に対し連結装着するために、金属板をチャンネル状に成形して枠柱２の壁面に取付ける接続金具ｂと、これに嵌合させるビームａの端部を接続金具ｂに対し固定緊縛するボルト７０とナット７１とからなる緊縛手段７とで構成するビーム固定装置Ｄを、ビームａの脱着作業に面倒な操作を要する緊縛用のボルト７０を省略して、ビームａの端部を接続金具ｂに対し嵌合していくだけで、ビームａの接続金具ｂに対する連結装着が行われ、かつ、空荷での走行の際の揺動によるビームａの脱出を阻止する機能を奏するように構成して、ビームａの脱着が容易・迅速に行えるようにすることにある。
【課題を解決するための手段】
【００１５】
本考案においては、上述の課題を解決するための手段として、枠体Ａの四隅の枠柱２の上端部の壁面に、帯板状の金属板をチャンネル状に成形した接続金具ｂを、開放口が上向きの姿勢として、一側のこぐちの当接により接合し、熔接により取り付け、この接続金具ｂの床板６１の内面側に、直立する嵌合ピンｐを植設し、金属板により角筒状に形成するビームａの端部の底壁８１には、接続金具ｂの内腔に嵌合した状態において、前記嵌合ピンｐと対応する部位に、その嵌合ピンｐと嵌合する嵌合穴ｈを開設し、かつ、接続金具ｂの一方の側板６０には、上端側に、該接続金具ｂに嵌合したビームａの上面側に被さる押さえ部９０を具備せしめた押さえ部材Ｓを、バネ板で形成して取付けてなる穀粒運搬用のコンテナにおけるビーム固定装置を提起するものである。
そして、これに併せて、上述のビーム固定装置における接続金具には、バネ板よりなる押さえ部材Ｓを設けた側板６０と反対側の側板６０の上端側に、外側に向け拡き勝手に立上るガイド９１を装設しておく手段と、
上述のビーム固定装置における押さえ部材Ｓを、金属板で剛体に形成して、接続金具ｂの一方の側板６０の上端側にヒンジ９３を介し上下に回動自在に軸支して、バネ９４により下方に回動するよう付勢しておく手段とを提起し、さらに併せて、
枠体Ａの四隅の枠柱２の上端部の壁面に、金属板の成形によりビームａの端部を嵌合さすチャンネル形に形成した接続金具ｂを、それの開放口が側方に向かう横倒しの姿勢として、それの床板６１の外面を接合して熔接により取り付け、この接続金具ｂの床板６１の内面に、その内面に対し垂直な姿勢で突出する嵌合ピンｐを植設し、金属板により角筒状に形成せるビームａの端部の側壁８０には、その端部を接続金具ｂの内腔に嵌合した状態において、その接続金具ｂの床板６１に植設した嵌合ピンｐと対応する部位に、その嵌合ピンｐと嵌合する嵌合穴ｈを開設し、かつ、接続金具ｂの床板６１の一方の側端縁に、その床板６１から該接続金具ｂの一方のこぐちを横切って開放口６ａ側に向け突出し、突出端に接続金具ｂに嵌合させたビームａの外面側の側壁８０外面に被さる押さえ部９０を形成した押さえ部材Ｓを、バネ板で形成して装設してなる穀粒運搬用のコンテナにおけるビーム固定装置と、
枠体Ａの四隅の枠柱２の上端部の壁面に、金属板の成形によりビームａの端部を嵌合さすチャンネル形に形成した接続金具ｂを、開放口６ａが側方に向かう横倒しの姿勢として、それの床板６１の外面側を接合して熔接により一体的に取り付け、この接続金具ｂの床板６１の内面に、その内面に対し垂直な姿勢で突出する嵌合ピンｐを植設し、ビームａの端部の側壁８０には、接続金具ｂの内腔に嵌合させた状態において前記嵌合ピンｐと対応する部位に、その嵌合ピンｐと嵌合する嵌合穴ｈを開設し、かつ、接続金具ｂの側板６０の内面側には、前記嵌合ピンｐと直交する方向の係合ピンｋを、該側壁６０の内面側に対し出没自在に設けてバネ９４負荷により突出本考案に付勢し、ビームａの端部の上壁８２または底壁８１の前記係合ピンｋと対応する部位に、この係合ピンｋと係合する係合穴ｎを設けてなる穀粒運搬用のコンテナにおけるビーム固定装置を提起し、さらに、
金属板によりビームａの端部が嵌合するチャンネル状に成形した接続金具ｂを、それの開放口６ａが、側方または上方に向かう姿勢として枠体Ａの四隅の枠柱２の上端側に取り付け、その接続金具ｂの床板６１の内面には、その内面に対し垂直な姿勢でその内面から突出する嵌合ピンｐを植設し、ビームａの端部の周壁の前記嵌合ピンｐと対応する部位に、その嵌合ピンｐと嵌合する嵌合穴ｈを開設し、接続金具ｂの側板６０には、軸芯線が、前記嵌合穴ｈの軸芯線と直交する方向の透孔ｍを開設し、それの外面側に、板バネよりなる支持板６４を廃してそれのバネ性により透孔ｍに対し進退するよう側板６０に組付け、その板バネよりなる支持板６４の、前記透孔ｍと対応する部位を、押し出し成形加工により透孔ｍ内に嵌入する庇状に突出させて係合ピンｋに形成し、ビームａの端部の周壁の、前記透孔ｍと対向する部位に、前記係合ピンｋと嵌合して係合する係合穴ｎを設けてなる穀粒運搬用のコンテナにおけるビーム固定装置を提起するものである。
【考案の効果】
【００１６】
本考案による穀粒運搬用のコンテナにおけるビーム固定装置は、コンテナの枠体Ａを組立てるよう、ベース１の四隅に立設せる枠柱２間にビームａを渡架装着するときに、ビームａの端部を、枠柱２の上端部に取り付けておくチャンネル形の接続金具ｂに対しそれの開放口６ａから内腔に向け嵌め込んでいけば、連結・装着が終了し、また、枠体２を折畳むためにビームａを取り外すときは、ビームａの端部を、接続金具ｂの開放口６ａから引き出すように引き抜けば、接続金具ｂから脱出してくるようになる。従って、ビームａの接続金具ｂに対する脱着作業が、著しく迅速、かつ容易に行えるようになる。
【００１７】
そして、接続金具ｂにビームａの端部を嵌合して連結させたとき、そのビームａの端部と接続金具ｂとは、ビームａが押さえ部材Ｓにより接続金具ｂの内腔に押さえ込まれている状態のときには、接続金具ｂの床板６１の内面に植設した嵌合ピンｐとビームａの底壁８１に設けた嵌合穴ｈとの嵌合により、互いに結合した状態に保持されるので、空荷での走行の際の揺動によってビームａが脱出するのを阻止するようになる。
【００１８】
また、ビームａの接続金具ｂの開放口６ａからの飛び出しの阻止を、嵌合ピンｐと直交する方向の係合ピンｋとそれに嵌合する係合穴ｎとの嵌合により行う場合にあっても、同様に作用する。
【考案を実施するための最良の形態】
【００１９】
次に実施の態様を、実施例につき図面に従い詳述する。
【実施例１】
【００２０】
図５乃至図１２は本考案による穀粒運搬用のコンテナにおけるビーム固定装置の第１の実施例を示している。図５は本考案手段を実施せる穀粒運搬用のコンテナの全体の側面図、図６は同上コンテナの枠体Ａの組立て途上の斜視図、図７は同上枠体Ａの枠柱２間にビームａを渡架装着するためのビーム固定装置Ｄの一部破断した斜視図、図８は同上装置の平面図、図９は同上装置の正面図、図１０は同上装置の側面図、図１１および図１２は同上装置の嵌合作業の説明図である。
【００２１】
図７において、２は、図６の如く中空の立方体状に組立てられる枠体Ａのベース１の四隅部に立設する枠柱の上端部を示し、ｂはその枠柱２の上端部の四周の壁面に取り付けた接続金具、ａはこの接続金具ｂに端部を嵌合して連結するビームを示している。
【００２２】
枠柱２の上端部は、この例においては、図６にあるように背の低い台枠状に組立てられるベース１の四隅のベース柱１０の上端部に接続して立設する枠柱２の上端側に、この枠柱２の上端の高さ位置を、納屋の入口の梁の高さに適応するよう調節自在とするために、継柱２ａを昇降自在に嵌挿して所望の高さに固定するように接続してあることで、この継ぎ足すように接続した継柱２ａの上端部が、枠柱２の上端部を構成しており、接続金具ｂはこの継柱２ａの壁面に取り付けられている。
【００２３】
接続金具ｂは鉄板等の金属板により、左右の側板６０・６０と床板６１とからなるチャンネル形をなす形状に成形してあり、それの内腔にビームａの端部が丁度嵌合するように形成してある。
【００２４】
接続金具ｂは、開放口６ａが上方に向かう姿勢として、一方のこぐちを、枠柱２の上端部の周壁面に突き当てて接合し、熔接により一体的に取り付けてある。
【００２５】
ｐはこの接続金具ｂの床板６１の内面側に、植設した嵌合ピンで、床板６１の上面の略中央部位に、垂直線に沿う垂直な姿勢として床板６１の上面から立上るように植設してある。
【００２６】
ｈは、ビームａの端部を接続金具ｂの内腔に上方から落とし込んで嵌合させたときに、ビームａの底壁８１の、前記嵌合ピンｐと対応する位置に、その嵌合ピンｐが嵌入していくように開設した嵌合穴で、これと前記嵌合ピンｐとの嵌合により、接続金具ｂに嵌合させたビームａを、嵌合ピンｐの軸方向に沿う方向の動きを除いて、接続金具ｂに対し全方向の動きを阻止するよう機能する。
【００２７】
Ｓは、接続金具ｂの一方の側板６０に設けた押さえ部材で、この例においては、帯板状のバネ材を、屈曲成形することで形成してあり、基端側を一方の側板６０の外面側に止着し、上端側が側板６０から上方に立ち上がった後、他方の側板６０に向くように屈曲させ、その屈曲部により、接続金具ｂ内に嵌合させたビームａの上壁８２を上方から押さえ込む押さえ部９０を形成するようにし、さらに、その押さえ部９０の先端側には、ビームａを接続金具ｂに嵌合させていくときに、この押さえ部材Ｓを、それのバネ性で、ビームａから逃げていくように屈曲させるためのガイド９１が形設してある。
【００２８】
そして、これらにより、図１１および図１２にあるように、接続金具ｂにビームａの端部を上方から嵌め込んでいくと、接続金具ｂの床板６１の内面に垂直な姿勢として植設した嵌合ピンｐと、ビームａの底壁８１に開設した嵌合穴ｈとが嵌合し、ビームａの上壁８２の上面を、接続金具ｂの一方の側板に設けたバネ板よりなる押さえ部材Ｓの押さえ部９０が上から押さえ込んで、ビームａを接続金具ｂに固着連結する状態とするビーム固定装置Ｄを構成するようにしている。
【実施例２】
【００２９】
図１３乃至図１７は、本考案による穀粒運搬用のコンテナにおけるビーム固定装置の第２の実施例を示している。
【００３０】
この実施例は、上述の実施例１における接続金具ｂの、押さえ部材Ｓを設けた側板６０と反対側の側板６０の先端側に、接続金具ｂに対しビームａの端部を上方から差し込むように嵌合させていくときのそのビームの端部を接続金具ｂの内腔に向け誘導するガイド壁ｇを設けている構成のもので、実施例１の変形例である。
【００３１】
接続金具ｂは、金属板の折曲げ成形により、ビームａの端部が嵌合するチャンネル形に形成し、それの開放口６ａが上方に向かう上向きの姿勢として、それの一方のこぐちを、枠柱２の上端部の壁面に突き当て接合し、熔接により一体的に枠柱２に取り付ける。そして、この接続金具ｂの床板６１の略中央部には、水平な床板６１の上面から垂直に立上る嵌合ピンｐを植設し、一方の側板６０には、バネ板により帯板状に形成した押さえ部材Ｓの基端側を取付けて、先端側を上方に立上げ、それの先端側に、他方の側板６０に向け屈曲した後、一方の側板に向け反り返る弯曲部を形成して、その弯曲部を、接続金具ｂの内腔に、図１７にあるように、ビームａの端部が嵌め込まれたときにそのビームａの上壁８２の上面を上から押さえ込む押さえ部９０に形成しておく。そしてまた、ビームａの端部の底壁８１には、そのビームａの端部を接続金具ｂに嵌め込んだときに、嵌合ピンｐと対応する部位にその嵌合ピンｐと嵌合する嵌合穴ｈを設けておくことについては、前述の実施例１の手段と変わりがない。
【００３２】
しかし、この接続金具ｂの押さえ部材Ｓを設けた一方の側板６０と対向する他方の側板６０には、それの先端側（図において上端側）に、図１５に示しているように、外側に向け拡き勝手に傾斜するガイド壁ｇを延長するように形設してある。
【００３３】
これにより、接続金具ｂにビームａの端部を嵌め込んでいくとき、図１５において鎖線に示しているように、ビームａを、このガイド壁ｇに沿うよう傾斜させた斜めの姿勢として、接続金具ｂの内腔に挿し込んでいくようにすることで、この嵌め込みの際の、押さえ部材Ｓの押さえ部９０に対するビームａの接触圧を軽減させて、嵌合が一層迅速・容易に行われるようにしている。
【実施例３】
【００３４】
次に、図１８乃至図２２は、さらに別の実施例を示している。
この例は、上述の第１の実施例において、チャンネル形に成形して、開放口６ａが上方に向かう上向きの姿勢とし、こぐちの熔接により枠柱２の上端部の壁面に取り付ける接続金具ｂの、一方の側板６０に、接続金具ｂの内腔に嵌め込んだビームａの端部の上壁８２の上面を押さえ込むよう設ける押さえ部材Ｓの形態を変更した例である。
【００３５】
即ち、チャンネル形に成形した接続金具ｂには、それの床板６１の上面に、垂直な姿勢に嵌合ピンｐを設け、ビームａの端部の底壁８１には、接続金具ｂに嵌合させた状態において嵌合ピンｐと対応する部位に、その嵌合ピンｐと嵌合する嵌合穴ｈを設けることについては、前述の各実施例と変わりなく構成するが、接続金具ｂの一方の側板６０に取り付ける押さえ部材Ｓは、図２２にあるように、接続金具ｂの内腔に嵌め込んだビームａの端部の上壁８２の上面に接合する押さえ板９２を形成し、これを、一方の側板６０の上方延長部の上端縁部に、ヒンジ９３を介して上下に回動自在に軸着連結し、かつ、接続金具ｂの開放口６ａに向け、それを閉塞していく方向に回動するようバネ９４を連繋しておき、これにより、ビームａの端部を接続金具ｂの内腔に嵌め込んでいくときは、この押さえ板９２を、図２０において鎖線に示しているように、ビームａの側壁８０でこじあけながら、ビームａを嵌め込み、その嵌合が終えたところで、図２２にあるように、ビームａの上壁８２の上面を押さえ板９２がバネ９４の付勢で押さえ込む状態となるように構成している。
【実施例４】
【００３６】
次に図２３乃至図２７は、さらに別の実施例を示している。
この例は、鉄板等の金属板によりビームａの端部と嵌合するチャンネル形に成形する接続金具ｂを、それの開放口６ａが側方に向かう横倒しの姿勢として、床板６１の外面側を枠柱２の上端部の周壁面に当接させて接合し、これを熔接等の適宜手段で枠柱２に対し取り付けている形態としている例である。
【００３７】
この例においても、チャンネル形に成形する接続金具ｂの床板６１の内面に、その内面から直立する嵌合ピンｐを植設し、かつ、接続金具ｂの内腔に嵌め込んだビームａをバネ負荷により押さえ込む押さえ部材Ｓを設け、ビームａの端部の周壁には、接続金具ｂに嵌め込んだ状態において嵌合ピンｐと対応する部位に、その嵌合ピンｐと嵌合する嵌合穴ｈを開設しておくことについては、前述の各実施例のものと変わりがないが、接続金具ｂを横倒しの姿勢として用いることで、床板６１の内面に植設する嵌合ピンｐは、それの軸芯線が鉛直線に沿う垂直な姿勢ではなく、上下方向の面に沿う床板６１の内面に対して垂直な姿勢で、接続金具ｂの開放口６ａに向かう横方向の嵌合ピンｐとしている。
【００３８】
そして、これと嵌合させるようビームａの周壁に開設しておく嵌合穴ｈは、ビームａの左右の側壁のうちの一方の側壁に、床板６１内面に設けた嵌合ピンｐと嵌合していくように配位して開設してある。
【００３９】
また、押さえ部材Ｓは、帯板状に板どりしたバネ板の基端側を、チャンネル形の接続金具ｂの一方のこぐちにおいて、床板６１の端縁部に連結止着し、先端側が、接続金具ｂに嵌合したビームａの端部のこぐちの外面を横切って、接続金具ｂの開放口６ａ側に突出するようにし、その突出端部を、接続金具ｂに嵌め込まれるビームａの外面側の側壁８０の外面に向け屈曲した後、反り返る弯曲部に形成して、この弯曲部が嵌め込まれたビームａを接続金具ｂの内腔に押さえ込む押さえ部９０を構成するようにしている。
【００４０】
この例においても、接続金具ｂに嵌め込まれたビームａの端部は、嵌合ピンｐと嵌合穴ｈとの嵌合により、嵌合ピンｐの軸方向の動きを除いた全方向の動きが固定された状態で、その嵌合ピンｐに沿う方向の動きが押さえ部材Ｓにより阻止されることで、接続金具ｂに対し固定連結した状態に保持される。
【実施例５】
【００４１】
次に図２８乃至図３２は、さらに異なる実施例を示している。
この例は、金属板によりチャンネル形に成形して枠柱２の上端部に取付ける接続金具ｂの床板６１の内面に、その内面に対し垂直な姿勢で接続金具ｂの開放口６ａに向かう嵌合ピンｐを植設しておき、ビームａの端部の周壁には、接続金具ｂに嵌合させた状態において嵌合ピンｐと対応する部位に、それを嵌合させる嵌合穴ｈを開設しておいて、これらの嵌合により、接続金具ｂに嵌め込んだビームａの端部を嵌合ピンｐに沿う方向の動きを除いた全方向の動きを固定し、その嵌合ピンｐに沿う方向の動きを、接続金具ｂに組付けておく押さえ部材Ｓのバネ負荷により阻止するようにして、ビーム固定装置を構成する際の、その押さえ部材Ｓの構成態様を変えている例である。
【００４２】
この例においては、金属板をチャンネル形に成形して枠柱２の上端部に取り付ける接続金具ｂの一方の側板６０に、内外に透通する透孔ｍを開設し、その透孔ｍ内に、接続金具ｂの床板６１の内面側に植設した嵌合ピンｐと軸方向が直交する方向の係合ピンｋを、前記一方の側板６０の内面側に先端部が自在に出没するよう嵌挿し、その係合ピンｋの基端側を、前記一方の側板６０の外面側に当接したバネ材よりなる支持板６４に支持させ、その支持板６４の、支持した係合ピンｋから離れる側の端部を、側板６０に連結固着することで、接続金具ｂの一方の側板６０に、床板６１に植設した嵌合ピンｐと軸芯線が直交する方向の係合ピンｋを、それの先端の頭部が、該側板８０の内面側に対し出没するように組付け、かつ、その係合ピンｋの先端頭部が、側板６０の内面側に突出するよう、バネ材よりなる支持板６４のバネ負荷により付勢した構成とし、ビームａの周壁には、この係合ピンｋと係合する係合穴ｎを、嵌合ピンｐと嵌合させる嵌合穴ｈに対し軸線方向が直交するように配位して開設し、これにより、ビーム固定装置Ｄを構成するようにしている。
【００４３】
この実施例においては、ビームａの端部を、図３１にあるように、枠柱２の上端部に取り付けた接続金具ｂに対し、それの開放口６ａの側から嵌め込んでいけば、ビームａの外周面が、側板６０の内面から突出している係合ピンｋの頭部をバネ材のバネ負荷に抗して側板６０に設けた透孔ｍ内に押し込んでいき、嵌め込みを終えたときに係合ピンｋがバネ負荷により側板６０に設けた透孔ｍから突出してビームａの周壁に設けた係合穴ｎに嵌合し、嵌合ピンｐと嵌合穴ｈとの嵌合により、その嵌合ピンｐに沿う方向の動きだけを除いて接続金具ｂに対し固定状態としたビームａを、この係合ピンｋと係合穴ｎとの係合によって、嵌合ピンｐに沿う方向の動きを阻止するようになって、接続金具ｂに嵌合したビームａの端部を全方向に動かないように固定連結するようになる。
【実施例６】
【００４４】
次に図３３乃至図３６は、さらに異なる実施例を示している。
この例は前述の実施例５の変形例であり、金属板をチャンネル形に成形して枠柱２の上端部に取り付ける接続金具ｂの一方の側板６０に、内外に透通する透孔ｍを開設し、その透孔ｍ内に、接続金具ｂの床板６１の内面側に植設した嵌合ピンｐと軸方向が直交する方向の係合ピンｋを、前記一方の側板６０の内面側に先端部が自在に出没するよう嵌挿し、その係合ピンｋの基端側を、前記一方の側板６０の外面側に当接したバネ材よりなる支持板６４に一体または一体的に支持させ、その支持板６４の、支持した係合ピンｋから離れる側の端部を、側板６０に連結固着することで、接続金具ｂの一方の側板６０に、床板６１に植設した嵌合ピンｐと軸芯線が直交する方向の係合ピンｋを、それの先端の頭部が、該側板８０の内面側に対し出没するように組付け、かつ、その係合ピンｋの先端頭部が、側板６０の内面側に突出するよう、バネ材よりなる支持板６４のバネ負荷により付勢した構成とし、ビームａの周壁には、この係合ピンｋと係合する係合穴ｎを、嵌合ピンｐと嵌合させる嵌合穴ｈに対し軸線方向が直交するように配位して開設し、これにより、ビーム固定装置Ｄを構成することについては、前述の第５の実施例と変わりがない。しかし、係合ピンｋにあっては、それを出没させる透孔ｍを設けた接続金具ｂの側板６０の外面側に組付ける  バネ材よりなる支持板６４に、その支持板６４の前記透孔ｍと対応する部位に対して行う押し出し加工によって、その部位を、図３４および図３５にあるように、外面側が摺鉢状の凹溝ｋ−１で内面側が疣状の突起ｋ−２となる形状に成形し、その突起ｋ−２をもって、接続金具ｂの側板６０に開設した透孔ｍを介しビームａの側壁８０に設けた係合穴ｎに対し嵌合する係合ピンｋを構成するようにしている。
【００４５】
この実施例においても、前述の実施例５と同様に、ビームａの端部を、図３６にあるように、枠柱２の上端部に取り付けた接続金具ｂに対し、それの開放口６ａの側から嵌め込んでいけば、ビームａの外周面が、側板６０の内面から透孔ｍを介して突出している係合ピンｋの頭部をバネ材のバネ負荷に抗して側板６０に設けた透孔ｍ内に押し込んでいき、嵌め込みを終えたときに係合ピンｋがバネ負荷により側板６０に設けた透孔ｍから突出して、ビームａの側壁８０に設けた係合穴ｎに嵌合し、嵌合ピンｐと嵌合穴ｈとの嵌合により、その嵌合ピンｐに沿う方向の動きだけを除いて接続金具ｂに対し固定状態としたビームａを、この係合ピンｋと係合穴ｎとの係合によって、嵌合ピンｐに沿う方向の動きを阻止するようになって、接続金具ｂに嵌合したビームａの端部を全方向に動かないように固定連結するようになる。
【図面の簡単な説明】
【００４６】
【図１】穀粒運搬用のコンテナの斜視図である。
【図２】同上コンテナの枠体の組立て途上における斜視図である。
【図３】同上コンテナの枠体に懸架する穀粒袋の底部の縦断面図である。
【図４】同上コンテナの枠体の枠柱の上端部に取付けるビーム固定装置の斜視図である。
【図５】本考案手段を実施せる穀粒運搬用のコンテナの側面図である。
【図６】同上コンテナの枠体の組立て途上における斜視図である。
【図７】同上コンテナの枠体の枠柱の上端部に組付ける本考案によるビーム固定装置の斜視図である。
【図８】同上ビーム固定装置の平面図である。
【図９】同上装置の正面図である。
【図１０】同上装置の側面図である。
【図１１】同上装置のビームの端部を接続金具に嵌め込む状態時の説明図である。
【図１２】同上装置のビームの端部の接続金具に対する嵌め込みが終了した状態時の説明図である。
【図１３】本考案手段の第２の実施例装置の平面図である。
【図１４】同上装置の正面図である。
【図１５】同上装置の側面図である。
【図１６】同上装置のビームの端部を接続金具に嵌め込む状態時の説明図である。
【図１７】同上装置のビームの端部の接続金具に対する嵌め込みが終了した状態時の説明図である。
【図１８】本考案手段の第３の実施例装置の平面図である。
【図１９】同上装置の正面図である。
【図２０】同上装置の側面図である。
【図２１】同上装置のビーム端部を接続金具に嵌め込む状態時の説明図である。
【図２２】同上装置のビームの端部の接続金具に対する嵌め込みが終了した状態時の説明図である。
【図２３】本考案手段の第４の実施例装置の平面図である。
【図２４】同上装置の正面図である。
【図２５】同上装置の側面図である。
【図２６】同上装置のビームの端部を接続金具に嵌め込む状態時の説明図である。
【図２７】同上装置のビームの端部の接続金具に対する嵌め込みが終了した状態時の説明図である。
【図２８】本考案手段の第５の実施例装置の平面図である。
【図２９】同上装置の正面図である。
【図３０】同上装置の側面図である。
【図３１】同上装置のビームの端部を接続金具に嵌め込む状態時の説明図である。
【図３２】同上装置のビームの端部の接続金具に対する嵌め込みが終了した状態時の説明図である。
【図３３】本考案手段の第６の実施例装置の一部破断した正面図である。
【図３４】同上装置のビームを接続金具に嵌めあわせていく状態時の一部破断した斜視図である。
【図３５】同上装置の接続金具およびそれに組付ける支持板の斜視図である。
【図３６】同上装置の、接続金具にビームの端部を嵌め込んだ状態時の縦断面である。
【符号の説明】
【００４７】
Ａ…枠体、Ｂ…穀粒袋、Ｃ…コンテナ、Ｄ…ビーム固定装置、Ｓ…押さえ部材、Ｔ…トラック、ａ…ビーム、ｂ…接続金具、ｇ…ガイド壁、ｈ…嵌合穴、ｋ…係合ピン、ｋ−１…凹溝、ｋ−２…突起、ｍ…透孔、ｎ…係合穴、ｐ…嵌合ピン、ｔ…荷台、１…ベース、１０…ベース柱、１１…組付座、２…枠柱、２ａ…継柱、３０…下口、４…穀粒搬出機、４０…受入口、４１…シャッタ、５…搬出筒、６ａ…開放口、６０…側板、６１…床板、６２…ボルト挿通孔、６４…支持板、７…緊縛手段、７０…ボルト、７１…ナット、８０…側壁、８１…底壁、８２…上壁、８３…連結穴、９０…押さえ部、９１…ガイド、９２…押さえ板、９３…ヒンジ、９４…バネ。
【図１】
0003122943.tif 000003
【図２】
0003122943.tif 000004
【図３】
0003122943.tif 000005
【図４】
0003122943.tif 000006
【図５】
0003122943.tif 000007
【図６】
0003122943.tif 000008
【図７】
0003122943.tif 000009
【図８】
0003122943.tif 000010
【図９】
0003122943.tif 000011
【図１０】
0003122943.tif 000012
【図１１】
0003122943.tif 000013
【図１２】
0003122943.tif 000014
【図１３】
0003122943.tif 000015
【図１４】
0003122943.tif 000016
【図１５】
0003122943.tif 000017
【図１６】
0003122943.tif 000018
【図１７】
0003122943.tif 000019
【図１８】
0003122943.tif 000020
【図１９】
0003122943.tif 000021
【図２０】
0003122943.tif 000022
【図２１】
0003122943.tif 000023
【図２２】
0003122943.tif 000024
【図２３】
0003122943.tif 000025
【図２４】
0003122943.tif 000026
【図２５】
0003122943.tif 000027
【図２６】
0003122943.tif 000028
【図２７】
0003122943.tif 000029
【図２８】
0003122943.tif 000030
【図２９】
0003122943.tif 000031
【図３０】
0003122943.tif 000032
【図３１】
0003122943.tif 000033
【図３２】
0003122943.tif 000034
【図３３】
0003122943.tif 000035
【図３４】
0003122943.tif 000036
【図３５】
0003122943.tif 000037
【図３６】
0003122943.tif 000038